(57)【要約】【課題】燃焼空気の整流を良好に行い、異常燃焼が起こさないガンタイプバ−ナを提供する。【解決手段】バーナ外筒１の内側に該バーナ外筒１との間に空気通路５を形成して、燃料噴射用のノズル体８及び一次空気を旋回させる一次スタビライザ１４を備えた整流筒４と、周壁に複数の空気孔を設けたバーナ内筒１７とを備え、更にバーナ外筒１後方には燃焼空気供給用の送風機２を備えたもので、前記バーナ外筒１後端には送風機２からの燃焼空気を一旦貯める箱状の風胴３を備え、この風胴３のノズル体８側には燃焼空気の流れと直交する複数の第一整流孔２２を備えた第一整流板２３を設け、更に第一整流板２３の下流側には前記整流筒４に連通し燃焼空気の流れと平行する周壁に複数の第二整流孔２５を形成した整流筒ガイド２４とを備えたことで、流れ方向や量の片寄りがなくなり、特に一次空気が安定して供給され常に良好な燃焼が得られるものである。【選択図】  図１
2004332992.tif 000002
【特許請求の範囲】
【請求項１】
バーナ外筒の内側に該バーナ外筒との間に空気通路を形成して、燃料噴射用のノズル体及び一次空気を旋回させる一次スタビライザを備えた整流筒と、周壁に複数の空気孔を設けたバーナ内筒とを備え、更にバーナ外筒後方には燃焼空気供給用の送風機を備えたものに於いて、前記バーナ外筒後端には送風機からの燃焼空気を一旦貯める箱状の風胴を備え、この風胴のノズル体側には燃焼空気の流れと直交する複数の第一整流孔を備えた第一整流板を設け、更に第一整流板の下流側には前記整流筒に連通し燃焼空気の流れと平行する周壁に複数の第二整流孔を形成した整流筒ガイドとを備えた事を特徴とするガイタンプバーナ。
【請求項２】
前記整流筒と整流筒ガイドとの連通は、燃料噴射用のノズル体を固定した第三整流板に形成された複数の第三整流孔で行う事を特徴とする請求項１記載のガンタイプバーナ。
【発明の詳細な説明】
【０００１】
【発明の属する技術分野】
この発明は家庭用の給湯装置等のバーナとして利用されるガンタイプバーナに関するものである。
【０００２】
【従来の技術】
従来よりこの種のものに於いては、バーナ外筒の内側に該バーナ外筒との間に二次空気通路を形成して、燃料噴射用のノズル体及び一次空気を旋回させる一次スタビライザを備えた整流筒と、周壁に複数の空気孔を設けたバーナ内筒とを備え、更にバーナ外筒後方には燃焼空気供給用の送風機を備えて、燃焼時の低騒音化を図りつつ、良好な燃焼を得ようとするものがあった。（例えば、特許文献１参照。）
【０００３】
【特許文献１】
特許第２８２８８６５号公報
【０００４】
【発明が解決しようとする課題】
ところでこの従来のものでは、送風機からの燃焼空気は整流されないまま一次空気として整流筒内に流入する為、整流筒内でも送風機の回転による渦流が治まらず、又流入前の渦流によって流入する一次空気量が流入場所により相違することで、一次空気の供給が常に安定せず、燃焼空気量を可変することにより更に不安定となって、空気不足による異常燃焼の危険性を有するものであった。
【０００５】
【課題を解決するための手段】
この発明はこの点に着目し上記欠点を解決する為、特にその構成を、バーナ外筒の内側に該バーナ外筒との間に空気通路を形成して、燃料噴射用のノズル体及び一次空気を旋回させる一次スタビライザを備えた整流筒と、周壁に複数の空気孔を設けたバーナ内筒とを備え、更にバーナ外筒後方には燃焼空気供給用の送風機を備えたものに於いて、前記バーナ外筒後端には送風機からの燃焼空気を一旦貯める箱状の風胴を備え、この風胴のノズル体側には燃焼空気の流れと直交する複数の第一整流孔を備えた第一整流板を設け、更に第一整流板の下流側には前記整流筒に連通し燃焼空気の流れと平行する周壁に複数の第二整流孔を形成した整流筒ガイドとを備えたものである。
【０００６】
これによれば、送風機から供給される燃焼空気は箱状の風胴内でその渦流が抑制され、そして燃焼空気の流れ方向と直交した第一整流孔を通過することで強制的に整流され、更に整流筒ガイドの燃焼空気の流れと平行する第二整流孔を介して自然に燃焼空気が整流筒に供給されることで、確実に整流されることとなって、流れ方向や量の片寄りがなくなり、特に一次空気が安定して供給され常に良好な燃焼が得られるものである。
【０００７】
【発明の実施の形態】
次にこの発明に係る下向きに取り付けられたガンタイプバーナを図面に示された一実施形態で説明する。
１は有底筒状で先端に向かって二段階に絞られたバーナ外筒で、後端部には横向きに取り付けらた送風機２からの燃焼空気を流入させる風胴３が固着されている。
【０００８】
４は前記バーナ外筒１の内側に該バーナ外筒１との間に空気通路５を形成して備えられた整流筒で、内方には電磁ポンプ６及び油比例弁７と連結した燃料噴射用のノズル体８と、噴射される燃料に着火する為の点火電極９と、ノズル体８前方で流通して来る一次空気を集束させて中央穴１０から放出する擂り鉢状の集束体１１とが備えられており、更にこの集束体１１の外周には、周壁に形成された複数の二次空気孔１２から流入する二次空気を、中央穴１０周囲に切り起こしで形成した旋回羽根１３で旋回させて供給する一次スタビライザ１４が備えられている。
【０００９】
更に前記集束体１１と一次スタビライザ１４とが接触する中央穴１０周囲では、この２つの隙間からの二次空気が中央穴１０からの一次空気に全周から垂直にぶつかることで、一次空気が乱れて噴射燃料との混合不良が発生して良好な燃焼が得られなくなることを防止する為に、中央穴１０の周囲に一次スタビライザ１４と密着する段押し部１５を形成し、更に確実に二次空気の中央穴１０から放出される一次空気への干渉を阻止するように、中央穴１０端部には前方へ立ち上がった立設壁１６を設けているものである。
【００１０】
１７は前記整流筒４と同じく空気通路５を保持してバーナ外筒１の内側に備えられたバーナ内筒で、一次スタビライザ１４の先端に連結した小径燃焼筒１８と大径燃焼筒１９の二段状に形成され、小径燃焼筒１８及び大径燃焼筒１９の周壁には、上下二段に三次空気孔２０が複数個形成されており、又大径燃焼筒１９の底部で小径燃焼筒１８との連結部分の外周には、一次スタビライザ１４と同一方向に三次空気を旋回させる二次スタビライザ２１が形成されている。
【００１１】
前記風胴３は、一側面を送風機２と、底面をバーナ外筒１とそれぞれ連通し他を閉塞した箱状に形成され、送風機２から供給される燃焼空気を一旦貯めるものであり、又風胴３のバーナ外筒１と連通するノズル体８側には、燃焼空気と直交するように複数の一次整流孔２２を円を描くように配置した第一整流板２３が設けられると共に、この第一整流板２３の下流側には一次整流孔２２で描いた円とオーバーラップする径であって、一端開口では整流筒４端部を嵌合したコップ状の整流筒ガイド２４が設けられており、更に整流筒ガイド２４の燃焼空気の流れと平行になる周壁には複数の第二整流孔２５を形成して、強制的に押し込むのではなく、自然のながれとして燃焼空気が流入して一次空気となるものである。
【００１２】
２６は整流筒４底部で燃料噴射用のノズル体８を固定すると共に、該整流筒４内に一次空気を流入させる為の第三整流板で、固定されたノズル体８周囲に複数個の第三整流孔２７を設けており、整流筒ガイド２４に流入して来た一次空気を第三整流孔２７を通すことで、更に整流して整流筒４に供給するものである。
【００１３】
２８はバーナ外筒１先端とバーナ内筒１７先端とで形成された隙間から成る三次空気噴出口で、バーナ外で形成される火炎に三次空気を供給すると共に、火炎の広がりを抑制するものである。
２９は点火電極９と接続したイグナイタである。
【００１４】
次にこの発明の一実施形態の作動について説明する。
今送風機２及び電磁ポンプ６を駆動すれば、燃焼空気は先ず風胴３内に供給されここで一旦貯めて、回転力による方向性をなくした後、下方に向かう流れとし、この流れと直交するように配置された第一整流板２３の第一整流孔２２を通過させることで、全体的に流れ方向を一致させる整流を行い、そして空気通路５に流し流れ方向と平行な整流筒ガイド２４の第二整流孔２５から自然に整流されながら該整流筒ガイド２４内に流入させ、更に第三整流板２６の第三整流孔２７を通り最後の整流が行われ、完全な下方への一次空気の流となって整流筒４内へ供給されるものである。
【００１５】
そして整流筒４内に流入した一次空気は、擂り鉢状の集束体１１で集められて中央穴１０からノズル体８の噴射燃料と共に、バーナ内筒１７内に放出され、この時点火電極９の放電で着火されるものであり、又これと同時に一次スタビライザ１４からは、一次空気と燃料の混合気の外周に二次空気の旋回流を形成して二次空気の混合を良好にするものであり、更にバーナ内筒１７内では、上下の三次空気孔２０から新鮮な三次空気が供給されると共に、二次スタビライザ２１からは旋回した三次空気が供給されて、外方に大きな火炎が形成されて良好な燃焼が行われるものである。
【００１６】
従って、一次空気、二次空気、三次空気として燃焼部に供給される燃焼空気を、入り口である風胴３及び整流筒ガイド２４で確実に整流し、流れ方向や量の片寄りのない燃焼空気として供給され、特に一次空気は第二、第三と３回に渡って整流が行われ、異常燃焼の原因になることなく、常に良好な燃焼が行われるものである。
【００１７】
更に第一整流孔２２が燃焼空気の流れと直交し、全燃焼空気を強制的に整流することが出来、基本的な流れ方向の整流が確実に行われるものであり、又第二整流孔２５が燃焼空気の流れと平行し、一次空気を自然に流入させられるので、癖のないスムーズな燃焼が常に行えるものである。
【００１８】
【発明の効果】
以上のようにこの発明によれば、送風機から供給される燃焼空気は箱状の風胴内でその渦流が抑制され、そして燃焼空気の流れ方向と直交した第一整流孔を通過することで強制的に整流され、更に整流筒ガイドの燃焼空気の流れと平行する第二整流孔を介して自然に燃焼空気が整流筒に供給されることで、確実に整流されることとなって、流れ方向や量の片寄りがなくなり、特に一次空気が安定して供給され常に良好な燃焼が得られるものである。
【図面の簡単な説明】
【図１】この発明の一実施形態を付したガンタイプバーナの断面図。
【符号の説明】
１  バーナ外筒
２  送風機
３  風胴
４  整流筒
５  空気通路
８  ノズル体
１４  一次スタビライザ
１７  バーナ内筒
２０  三次空気孔
２２  第一整流孔
２３  第一整流板
２４  整流筒ガイド
２５  第二整流孔
２６  第三整流板
２７  第三整流孔
【図１】
2004332992.tif 000003